(57)【特許請求の範囲】
【請求項１】
電柱上部に設けられた腕金に固定して使用される安全帯フック取付金具であって、
短片と長片とからなるＬ型本体を有し、
前記長片には、腕金にボルトで固定するためのボルト孔と、安全帯フックを係止可能な係止部とが設けられていることを特徴とする安全帯フック取付金具。
【請求項２】
前記腕金は、固定バンド及び取付金具を備える電柱用バンドにより電柱上部に取付けられており、
前記Ｌ型本体は、前記ボルト孔に前記取付金具を構成するボルトが挿通され、そのボルトがナットで締結されることにより、前記腕金及び前記電柱用バンドに固定されるようになっていることを特徴とする請求項１に記載の安全帯フック取付金具。
【請求項３】
前記短片が前記腕金の角部に引掛けられ且つ前記長片が前記腕金の任意な面に接触して該腕金に固定されるようになっていることを特徴とする請求項１又は２に記載の安全帯フック取付金具。
【請求項４】
前記固定部及び前記係止部の周囲にリブが設けられていることを特徴とする請求項１〜３のいずれかに記載の安全帯フック取付金具。
【発明の詳細な説明】
【技術分野】
【０００１】
本発明は、安全帯のフックを引掛けるための安全帯フック取付金具に関し、例えば、電柱上部に固着された腕金に取り付けられ、高所作業を行う作業員が装着している安全帯のフックを引掛けるための安全帯フック取付金具に関する。
【背景技術】
【０００２】
作業員が電柱に上り、電線工事等の高所作業をする際、作業員は、作業中の安全を確保するため、自身が装着している安全帯のフックを引掛ける必要がある。このような高所作業においては、現状、作業員は、電柱用バンド１を構成するボルト１ｂのボルト軸１ｂ１（図４を参照）等に、自身が装着している安全帯のフック３（図５を参照）を引掛けて高所作業を行っている。この電柱用バンド１は、図４に示すように、円弧状に湾曲している略Ｕ字板状の固定バンド１ａと、固定金具（ボルト１ｂ、ナット１ｃ、座金１ｄ等で構成された固定金具）と備えている。なお、電柱Ｐに電柱用バンド１を用いて腕金５を取り付けることは、例えば、特許文献１に開示されている。
【先行技術文献】
【特許文献】
【０００３】
【特許文献１】実開平６−４４９９８号公報の図４
【発明の概要】
【発明が解決しようとする課題】
【０００４】
しかしながら、電柱Ｐや電柱高所に取り付けられる部材（電柱用バンド１や腕金５等の部材）には、安全帯のフック３を係止する専用の構成が設けられていない（図４参照）。そのため、作業員は、安全帯のフック３を安全に係止できる部位を慎重に検討して当該フックを引掛ける作業を行う必要があり、この作業に余分な時間を要し、これが作業効率低下の一因となっている。例えば、電柱用バンド１を構成するボルト１ｂのボルト軸１ｂ２に安全帯のフック３を引掛けてしまうと作業中の安全を十分に確保できない。そのため、作業員は、安全帯のフック３を安全に引掛けることができる部位を慎重に検討し、当該引掛ける位置を決定する必要があり、これが電線工事等の作業開始を遅らせる要因となっている。
【０００５】
本発明は上記課題に鑑み提案するものであって、作業員が安全帯のフックの引掛け位置を容易に決定でき且つ安全帯のフックを引掛け易くすると共に、作業中の安全を確実に確保することを可能にする安全帯フック取付金具を提供することを目的とする。
【課題を解決するための手段】
【０００６】
上記課題を解決するためになされた本発明は、電柱上部に設けられた腕金に固定して使用される安全帯フック取付金具であって、短片と長片とからなるＬ型本体を有し、前記長片には、腕金にボルトで固定するためのボルト孔と、安全帯フックを係止可能な係止部とが設けられていることを特徴とする。
このように、安全帯のフックを係止するための専用部品（安全帯フック取付金具）を設け、電柱に固定された腕金に取り付けておくことにより、作業員は、自身が装着している安全帯のフックを引掛ける部位を、簡単に決定することができ、電柱上部での高所作業を早期に開始することができるようになる。また、本発明では、安全帯のフックを係止する専用の係止部が設けられているため、従来技術と比べて、作業員が装着している安全帯のフックを容易に係止することができるようになる（安全帯のフックを引掛ける作業に要する時間が短縮される）。また、安全帯のフックを確実に係止することができ、作業を行う作業員の安全を確実に確保することが可能となる。
【０００７】
また、前記腕金は、固定バンド及び取付金具を備える電柱用バンドにより電柱上部に取付けられており、前記Ｌ型本体は、前記ボルト孔に前記取付金具を構成するボルトが挿通され、そのボルトがナットで締結されることにより、前記腕金及び前記電柱用バンドに固定されるようになっていることが望ましい。
このように、本発明では、腕金の固定に用いられる電柱用バンドを利用して、腕金（及び電柱用バンド）に安全帯フック取付金具を固定できるようになっているため、部品点数を減少させることができる。
【０００８】
また、前記短片が前記腕金の角部に引掛けられ且つ前記長片が前記腕金の任意な面に接触して該腕金に固定されるようになっていることが望ましい。
この構成により、任意の方向からの荷重に対しても、十分な強度を確保することができ、作業中の作業員の安全を確実に確保することができる。また、上記構成によれば、腕金の任意の面に、安全帯フック取付金具を固定することができ（安全帯フック取付金具の係止部を、作業員が作業を行う際に最適な位置・方向に設置でき）、その結果、作業員が作業し易い位置において安全帯のフックを係止することができるようになる。
【０００９】
また、前記固定部及び前記係止部の周囲にリブが設けられていることが望ましい。
この構成により、強度が向上するため、リブが設けられていないものと比較して、板厚を薄くすることができ、その結果、軽量化が図られ、製造コストを低減することが可能となる。
【発明の効果】
【００１０】
本発明によれば、作業員が安全帯のフックの引掛け位置を容易に決定でき且つ安全帯のフックを引掛け易くすると共に、作業中の安全を確実に確保することを可能にする安全帯フック取付金具を提供することができる。そして、本発明によれば、電柱上部などで行う高所作業の作業効率の向上を図ることができる。
【図面の簡単な説明】
【００１１】
【図１】（ａ）は実施形態１の安全帯フック取付金具の右側面図、（ｂ）は同図（ａ）の正面図である。
【図２】（ａ）は実施形態１の安全帯フック取付金具の使用状態を示す平面図、（ｂ）は同図（ａ）の正面図である。
【図３】（ａ）は実施形態２の安全帯フック取付金具の右側面図、（ｂ）は同図（ａ）の正面図である。
【図４】従来技術の電柱用バンド及び腕金の説明図である。
【図５】従来技術の安全帯のフックの説明図である。
【発明を実施するための形態】
【００１２】
以下、本発明の実施形態の安全帯フック取付金具及びその取付金具に関する具体的な実施形態について説明するが、本発明は以下の実施形態に限定されるものではなく、各実施形態の各構成要件を組み合わせ或いは組み替える構成や、各実施形態の各構成要件を削除するなど本発明の要旨の範囲内の全ての構成が含まれる。また、以下の説明では、上述した従来技術の構成と同様の構成には、同じ符号を付している。
【００１３】
〔実施形態１〕
先ず、本発明の実施形態１による安全帯フック取付金具１０について説明する。尚、図１（ａ）は実施形態１の安全帯フック取付金具の右側面図、（ｂ）は同図（ａ）の正面図である。また、図２（ａ）は実施形態１の安全帯フック取付金具の使用状態を示す平面図、（ｂ）は同図（ａ）の正面図である。
【００１４】
実施形態１の安全帯フック取付金具１０は、短片１１と長片１２とからなるＬ型本体１３を有している（断面視Ｌ字状のＬ型本体３を有している）。また、長片１２には、腕金５にＬ型本体１３を固定するための固定部１４と、安全帯フック３を係止可能な係止部１５とが設けられている。なお、安全帯フック取付金具１０は、電柱Ｐ上部に設けられた腕金５に固定して使用されるようになっている。
【００１５】
また、Ｌ型本体１３は、ＳＡＰＨ４００等の熱間圧延鋼板からなり、プレス加工、又は鋳造によって、Ｌ型に成形される。Ｌ型本体１３の短片１１の長さ寸法は２０ｍｍ程度であり、長片１２の長さ寸法は、腕金５に安全帯フック取付金具１０を取り付けた状態において、腕金５から係止部１５が突出する程度になっている。
【００１６】
固定部１４は、ボルトの軸部を挿通可能な孔部（ボルト孔）であって、固定部１４にボルトの軸部を挿通し、ナットで締結することにより、腕金５に対して安全帯フック取付金具１０を固定することができる。尚、図２に示すように、安全帯フック取付金具１０は腕金５の任意な面に固定できる。
【００１７】
また、係止部１５は、安全帯のフック３を係止出来る大きさ寸法の長孔となっている。尚、図示する例では、係止部１５が長孔となっているが、係止部１５が長孔以外の形状の孔であってもよい。
【００１８】
また、安全帯フック取付金具１０は、防食効果のため、溶融亜鉛めっき処理がされる。
【００１９】
次に、実施形態１の安全帯フック取付金具１０を腕金５に固定する方法について説明する。尚、安全帯フック取付金具１０は、固定金具（ボルト７、ナット８）を用いて腕金５に固定できるようになっていると共に、腕金５を固定するために用いる電柱用バンド１（電柱用バンド１を構成するボルト１ｂ、ナット１ｃ）によっても、腕金５（腕金５及び電柱用バンド１）に固定できるようになっている。尚、以下では、固定金具（ボルト７、ナット８）により腕金５に安全帯フック取付金具１０を固定する場合を例にする。
【００２０】
先ず、安全帯フック取付金具１０を、短片１１を腕金５の角部に引掛け、長片１２を腕金５の任意の面に配置する。その際、安全帯フック取付金具１０の固定部１４と腕金５に設けられている複数の孔部のうちの一つと一致するように、安全帯フック取付金具１０を配置する。
【００２１】
そして、固定部１４と腕金５の孔部とにボルト７の軸部を挿通し、ナット８で締結し、安全帯フック取付金具１０を腕金５に固定する。安全帯フック取付金具１０は、ボルト７によって腕金５に固定されるだけでなく、短片１１が腕金５の角部に引掛けられていると共に、長片１２が腕金５と面接触しているため、係止部１５に引掛けられた安全帯のフック３により、あらゆる方向から引っ張られたとしても、安全帯フック取付金具１０に係る荷重が分散され、任意の方向からの荷重に対しても、十分な強度を確保することが可能となる。その結果、実施形態１によれば作業中の作業員の安全を確実に確保することができる。
【００２２】
具体的には、安全帯フック取付金具１０が、例えば図１に示す矢印Ｘ方向に引っ張られた場合、短片１１が腕金５の角部に引掛けられている構成になっているため、矢印Ｘ方向の荷重を、固定部１４と短片１１とで受けることになる。この構成により、安全帯フック取付金具１０は、矢印Ｘ方向の荷重に対し、十分な強度を確保することが出来る。
【００２３】
また、例えば、安全帯フック取付金具１０が矢印Ｙ方向に引っ張られた場合、長片１２が腕金５の面と面接触する構成になっているため、矢印Ｙ方向の荷重に対し、固定部１４だけでなく、長片１２の面全体で受けることになる。この構成により、安全帯フック取付金具１０は、矢印Ｙ方向の荷重に対し、十分な強度を確保することが可能となる。
【００２４】
なお、安全帯フック取付金具１０が、電柱用バンド１により、腕金５（腕金５及び電柱用バンド１）に固定される場合、以下のようにするとよい。具体的には、Ｌ型本体１３の固定部１４と腕金５の孔部とに、電柱用バンド１の取付金具を構成するボルト１ｂが挿通され、そのボルト１ｂがナット１ｃで締結されることにより、電柱用バンド１は、腕金５及び電柱用バンド１に固定される。このように、腕金５を用いて安全帯フック取付金具１０を固定することにより、部品点数を減少させることができる。
【００２５】
以上説明したように、電柱Ｐに固定された腕金５に安全帯フック取付金具１０を取り付けておくことにより、作業員は、自身が装着している安全帯のフック３を引掛ける部位を、簡単に見つけることができ、電柱Ｐ上部での高所作業を早期に開始することができるようになる。
【００２６】
また、実施形態１の安全帯フック取付金具１０は、作業員の安全帯のフック３を容易に引掛けることができる構成になっているため（安全帯のフック３を係止する専用の係止部１５が設けられているため）、作業効率を向上させることができる。また、実施形態１の安全帯フック取付金具１０は、安全帯のフック３の係止部１５を確実に係止することができ、作業員の安全を確保することができる。
【００２７】
また、本実施形態１の安全帯フック取付金具１０は、ボルト締結により固定部１４で腕金５に固定されているだけでなく、短片１１が腕金５の角部に引掛けられ、且つ長片１２が腕金５の任意な面に接触して固定されているため、任意の方向からの荷重に対しても、十分な強度を確保することができ、作業中の作業員の安全を確実に確保することができる。
【００２８】
さらに、本実施形態１の安全帯フック取付金具１０は、腕金５の任意な面に固定でき、これにより、係止部１５を任意な方向に配置できる。すなわち、安全帯フック取付金具１０は、作業員が作業を行う際に最適な位置・方向に設置できるため作業効率の向上を図ることができる。
【００２９】
〔実施形態２〕
本発明の実施形態２による安全帯フック取付金具２０について説明する。図３（ａ）は実施形態２の安全帯フック取付金具の右側面図、（ｂ）は同図（ａ）の正面図である。
【００３０】
実施形態２の安全帯フック取付金具２０は、実施形態１の安全帯フック取付金具１０の構成と同様に、短片２１と長片２２とからなるＬ型本体２３を有している。また、長片２２には、腕金５にＬ型本体２３を固定するための固定部２４と、安全帯フック３を係止可能な係止部２５とが設けられる構成である。尚、固定部２４は、実施形態１の固定部１４と同様で、ボルトを挿通可能な孔部（ボルト孔）となっている。
【００３１】
また、実施形態２では、リブ２６が、安全帯フック取付金具２０の固定部２４、及び係止部２５の周囲に設けられる。実施形態２においては、リブ２６はＬ型本体２１の外周に沿って設けられている。リブ２６が設けられた構成により、固定部２４及び係止部２５に十分な強度を確保することができるため、実施形態１の安全帯フック取付金具１０の板厚に対し、１／２程度の板厚とすることが可能となり、軽量化を図ることができる。尚、固定部２４と係止部２５の周囲を一体として、リブ２６を設けても、固定部２４及び係止部２５の周囲、それぞれにリブ２６が設ける構成としてもよい。
【００３２】
実施形態２の安全帯フック取付金具２０は、実施形態１の安全帯フック取付金具１０と同様な方法で腕金５に固定することができ、また係止部２５が任意な方向となるように固定することが可能である。
【００３３】
実施形態２の安全帯フック取付金具２０は、リブ２６が固定部２４及び係止部２５の周囲に設けられる構成により、固定部２４と係止部２５の強度を向上させることができるため、安全帯フック取付金具２０の板厚を安全帯フック取付金具１０の板厚と比較して、薄くしても、十分な強度を達成することが可能となり、軽量化を図ることができると共に、製造コストを低減させることができる。
【産業上の利用可能性】
【００３４】
本発明は、安全帯のフックを係止し、作業を行う必要がある足場の悪い高所における作業場所で利用することができる。
【符号の説明】
【００３５】
１…電柱用バンド
１ａ…バンド部（電柱用バンド）
１ｂ…ボルト（電柱用バンド）
１ｂ１…ボルト軸（電柱用バンド）
１ｂ２…ボルト軸（電柱用バンド）
１ｃ…ナット（電柱用バンド）
３…安全帯のフック
５…腕金
７…ボルト
８…ナット
１０、２０…安全帯フック取付金具
１１、２１…短片
１２、２２…長片
１３、２３…Ｌ型本体
１４、２４…固定部
１５、２５…取付部
２６…リブ
Ｐ…電柱
【図１】
0005675693.tif 000002
【図２】
0005675693.tif 000003
【図３】
0005675693.tif 000004
【図４】
0005675693.tif 000005
【図５】
0005675693.tif 000006